(57)【要約】【課題】大型化が可能ではあるが、比較的軽量で空気を抜くことにより小型化でき、多様性を有する縫いぐるみ玩具を提供する。【解決手段】この発明にかかる縫いぐるみ玩具は、空気注入部２０ａを有し、柔軟な薄いシート材よりなる球状本体２０を、布材又はシート材で被覆され、頭状に形成された、頭状体１２と、前記頭状体１２の外表面の一部分を保持するための凹球面状の保持部３０を有する、頭以外の体の部分に形成された、体状体１４とを備え、前記頭状体１２の一部分と、前記体状体１４の保持部３０の凹状部とは、それぞれに連結具４０，５０が設けられ、前記体状体１４の保持部３０の凹状部に嵌合された前記頭状体１２の一部分の連結具４０と、前記体状体１４の保持部３０の連結具５０とが連結され、体状体１４の上に頭状体１２が固定されるように形成されている。【選択図】図５
2008220397.tif 000002
【特許請求の範囲】
【請求項１】
空気注入部を有し、柔軟な薄いシート材よりなる球状本体を、布材又はシート材で被覆され、頭状に形成された、頭状体と、
前記頭状体の外表面の一部分を保持するための凹球面状の保持部を有する、頭以外の体の部分に形成された、体状体とを備え、
前記頭状体の一部分と、前記体状体の保持部の凹状部とは、それぞれに連結具が設けられ、
前記体状体の保持部の凹状部に嵌合された前記頭状体の一部分の連結具と、前記体状体の保持部の連結具とが連結され、体状体の上に頭状体が固定されるように形成された、縫いぐるみ玩具。
【発明の詳細な説明】
【技術分野】
【０００１】
本発明は、縫いぐるみ玩具に関し、特に、ゲームセンター等の店頭に設置されている景品を取って遊戯を楽しむクレーンゲーム機の景品として、好適な縫いぐるみ玩具に関する。
【背景技術】
【０００２】
従来、ゲームセンター等の店頭に設置されている景品を取って遊戯を楽しむクレーンゲーム機の景品として、動物等を模した縫いぐるみが採用されている。この縫いぐるみは、クレーンゲーム機の把持装置の爪や景品落し口の大きさからある程度の大きさのものしか用いることができなかった。
【特許文献１】実公平７−２５９９５号公報
【発明の開示】
【発明が解決しようとする課題】
【０００３】
現在、縫いぐるみは大きいほうが顧客に喜ばれることもあり、最近はより大きな縫いぐるみを景品とする傾向があるが、クレーンゲーム機の把持装置の爪により持ち上げるためには軽量であることが望まれ、運搬時には小型化できることが望まれている。
また、景品を入手したときには、単なる縫いぐるみとしてインテリア等に使えるのみならず、ビーチボールのようなスポーツや遊戯にも使用できる、多様性が求められている。
それゆえに、この発明の主たる目的は、大型化が可能ではあるが、比較的軽量で空気を抜くことにより小型化でき、多様性を有する縫いぐるみ玩具を提供することである。
【課題を解決するための手段】
【０００４】
本発明は、空気注入部を有し、柔軟な薄いシート材よりなる球状本体を、布材又はシート材で被覆され、頭状に形成された、頭状体と、
前記頭状体の外表面の一部分を保持するための凹球面状の保持部を有する、頭以外の体の部分に形成された、体状体とを備え、
前記頭状体の一部分と、前記体状体の保持部の凹状部とは、それぞれに連結具が設けられ、
前記体状体の保持部の凹状部に嵌合された前記頭状体の一部分の連結具と、前記体状体の保持部の連結具とが連結され、体状体の上に頭状体が固定されるように形成された、縫いぐるみ玩具である。
【発明の効果】
【０００５】
この発明に係る縫いぐるみ玩具は、空気注入部を有し、柔軟な薄いシート材よりなる球状本体を、布材又はシート材で被覆され、頭状に形成された、頭状体と、前記頭状体の外表面の一部分を保持するための凹球面状の保持部を有する、頭以外の体の部分に形成された、体状体とを備え、前記頭状体の一部分と、前記体状体の保持部の凹状部とは、それぞれに連結具が設けられ、前記体状体の保持部の凹状部に嵌合された前記頭状体の一部分の連結具と、前記体状体の保持部の連結具とが連結され、体状体の上に頭状体が固定されるように形成されているので、大型化が可能ではあるが、比較的軽量で空気を抜くことにより小型化でき、多様性を有する縫いぐるみ玩具を提供することができる。
【０００６】
この発明の上述の目的、その他の目的、特徴および利点は、図面を参照して行う以下の発明を実施するための最良の形態の説明から一層明らかとなろう。
【発明を実施するための最良の形態】
【０００７】
図１は、この発明の分割される縫いぐるみ玩具の斜視図であり、図２は、図１図示縫いぐるみ玩具の分割した状態を示す、頭状体の斜視図解図である。図３は、図１図示縫いぐるみ玩具の頭状体の要部の斜視図解図であり、（Ａ）は蓋片を開いた状態を示し、（Ｂ）は蓋片を閉じた状態を示し、図４は、図１図示縫いぐるみ玩具の分割した状態を示す頭状体の斜視図解図である。図５は縫いぐるみ玩具の連結具の面ファスナーで接合する状態を示す斜視図解図である。
この発明にかかるエアーボール合体縫いぐるみ玩具１０は、動物の頭を模して頭状に形成された、頭状体１２と、前記頭状体１２の外表面の一部分を保持するための頭以外の体の部分に形成された、体状体１４とを備える。
【０００８】
前記頭状体１２は、空気注入部２０ａを有し柔軟な薄いシート材よりなる球状本体２０を、布材又はシート材からなる被覆材２２で被覆してなる。
【０００９】
球状本体２０は、柔軟で薄いビニール樹脂のシート材等よりなり、ビーチボール状に形成されている。球状本体１１は、木の葉状の片を多数、ここでは６枚を溶着することによって球形を形作り、その一部に空気注入部２０ａを形成している。
【００１０】
空気注入部２０ａは、従来公知のもので、球状本体２０の適宜位置に１つ設けられている。この空気注入部２０ａは、人の口で簡単に空気を吹き込むことができ、また人の手で簡単に空気が抜けるようになっている。
【００１１】
被覆材２２としては、本体布２４の底部開口部２６より空気の抜いた球状本体２０を入れて球状本体２０の空気注入部２０ａより空気を入れて膨らませて、底部開口部２６の蓋片２８により蓋をすることができるように形成されている。
空気の入った球状本体２０は、膨らみ、外側の被覆材２２は、突っ張り立体的になる。しかし、球状本体２０の空気注入部２０ａより空気を抜けば小さくすることができる。
【００１２】
体状体１４は、動物の頸部、胴部、手足部の１又は複数を有し、外表布３２を構成する布等のシート材の中に、綿、スポンジ等の柔軟材からなる詰め物３４を包み込んで、外側を縫ってなり、その最頂部に擂鉢状すなわち凹球面状に凹んだ凹状部を有する保持部３０を備える。
【００１３】
前記頭状体１２の一部分と、前記体状体１４の保持部３０の凹状部とは、それぞれに連結具４０及び連結具５０が設けられ、前記体状体１４の保持部３０の凹状部に嵌合された前記頭状体１２の連結具４０と、前記体状体１４の保持部の連結具５０とが連結され、体状体１４の上に頭状体１２が固定されるように形成されている。
頭状体１２は、連結具４０が底部開口部２６の周囲に環状に形成されている。
また、体状体１４は、連結具５０が保持部３０の凹状部の外表面に環状に形成されている。
【００１４】
連結具４０及び連結具５０は、互いに引き掛けられるように構成された面ファスナ、すなわちパイルを利用した離脱自在のテープからなり、一対の面ファスナのうち一方の面ファスナが頭状体１２に、他方の面ファスナが体状体１４に縫いつけられている。
【００１５】
すなわち、頭状体１２の頭首部の表面には、支持体４２の表面上に多数のループ４４を備えてなる連結具４０が支持体４２にて被覆体２２に縫いつけられている。この実施の形態においては、底部開口部２６の周囲に円環状に形成されている。
一方、体状体１４の首部の表面には、支持体５２の表面上に多数の鉤５４を備えてなる連結具５０が支持体５２にて外綿布３２に縫いつけられている。  
そして、該頭状体１２の連結具４０は、体状体１４の保持部３０に縫いつけられた表面上に多数の鉤５４を備えた連結具５０と脱着自在に係合するようになっている。
【００１６】
また、体状体１４には、胴首部に形成された保持部３０の凹状部の領域に、表面上に多数のループを備えた連結具５０が円環状に縫製されており、該連結具５０は、頭状体１２の頭首部に縫いつけられた表面上に多数のループを備えた連結具４０と、脱着自在に係合するようになっている。
そして、前記連結具４０と連結具５０間の係合は、任意の方向でも行えるようになっており、たとえば頭状体１２が前後左右いずれかの方向に向いた姿態で係合できるものとなっており、また力を加えなければその姿態を維持するようになっている。
【００１７】
頭状体１２は、体状体１４より取り外して、空気注入部２０ａより空気を抜くことによりおりたためる。
また、頭状体１２は、体状体１４より取り外して、ビーチボールと同じように遊べる。
【００１８】
また、本発明に係わる縫いぐるみ玩具が単数存在する場合や同種縫いぐるみ（たとえば、同じキャラクターの縫いぐるみで、表情が異なる顔面を有するものや脚の形状が異なるものなど）が複数存在する場合に頭状体を取り替えて楽しんだり、一体化した通常の縫いぐるみと同様に遊んだりまたインテリアにしたりすることができる。
【００１９】
以上述べたように、連結具５０は、体状体１４の周辺部よりへこんでいる凹状部よりなる保持部３０に取り付けられているので、この分割縫いぐるみ玩具をクレーンゲーム機の中で混ぜても引っ掛かったり取れたりすることがなく、また連結具５０どうしが触れただけでは互いに鉤止することがない。
この分割された縫いぐるみ玩具を組合せた場合にも、保持部３０がその他の面よりへこんでいるので、接合状態では縫いぐるみの姿勢が保持されると共に、接合面が見えることがなく一体化されたものと見え、しかも連結具４０と連結具５０との取り付け取り外しは容易である。
【００２０】
本発明は、前記実施の形態に限らず、種々変更することができる。
例えば、図８ないし図１０に示すように、体状体１１４は、それを形成する胴部１１６と脚部１１８とを分離させるように形成し、胴部１１６にバネ部材１２０の上端を固定し、バネ部材１２０の下部に脚部１１８を固定し、そして、バネ部材１２０の伸縮により脚部１１８が下方に下がったり上部に上がったりするように構成してもよい。
【００２１】
接合部材を構成する連結具４０と連結具５０とは、両ファスナーではなくて、図１１ないし図１３に示すように、布テープ１４２に互いにかみ合う歯１４４を組み合わせ、その間のスライド金具１４６をすべらせて開閉するスライドファスナーを採択してもよい。そして、該スライドファスナーの一方の布テープ１４２を頭状体１１２の下方に付着し、且つ他方の布テープ１４２を体状体１１４の上部の接合部の頭首部に付着して連結具１４０とし、他の布テープ１４２を体状体１１４に付着して連結具１５０とし、連結具１４０と連結具１５０の両方の歯１４４をかみ合わせて、頭状体１１２と体状体１１４とを連結するようにしてもよい。
スライドファスナは、布テープ１４２を環状にして頭状体１１２の被覆材１２２と縫合し且つそれに対応して体状体１１４の外面布１３２と縫合してもよい。
【００２２】
前記実施の形態では、接合部材として結合面の中央に一対の連結具４０及び連結具５０を用いたが一対に限定するものでなく、複数対でもよい。
また、他の実施例として、面ファスナの代わりにホックや球状嵌合具を用いてもよい。
【産業上の利用可能性】
【００２３】
以上述べたとおりクレーンゲーム機の景品として実用価値が大である。
【図面の簡単な説明】
【００２４】
【図１】この発明の分割される縫いぐるみ玩具の斜視図である。
【図２】図１図示縫いぐるみ玩具の分割した状態を示す、頭状体の斜視図解図である。
【図３】図１図示縫いぐるみ玩具の頭状体の要部の斜視図解図であり、（Ａ）は蓋片を開いた状態を示し、（Ｂ）は蓋片を閉じた状態を示す。
【図４】図１図示縫いぐるみ玩具の分割した状態を示す頭状体の斜視図解図である。
【図５】縫いぐるみ玩  具の連結具の面ファスナーで接合する状態を示す斜視図解図である。
【図６】図１図示縫いぐるみ玩具の頭状体と体状体とを結合した状態を示す斜視図解図である。
【図７】図１図示縫いぐるみ玩具の頭状体を体状体より分離し、頭状体の球状本体を凹ませた状態を示す斜視図解図である。
【図８】この発明に係る別の実施の形態である、分割される縫いぐるみ玩具の斜視図解図である。
【図９】図８図示縫いぐるみ玩具の作用を示す斜視図解図である。
【図１０】図８図示縫いぐるみ玩具の作用を示す斜視図解図である。
【図１１】図８図示縫いぐるみ玩具の頭状体の底面図解図である。
【図１２】図８図示縫いぐるみ玩具の体状体の平面図解図である。
【図１３】頭状体と体状体とを連結具で連結する方法を示す斜視図解図である。
【符号の説明】
【００２５】
１０      縫いぐるみ玩具
１２、１１２      頭状体
１４、１１４      体状体
２０      球状本体
２２、１１２      被覆材
２０ａ    空気注入部
２４      本体布
２６      底部開口部
２８      蓋片
３０      保持部
３２、１３２      外面布
３４      詰め物
４０、１４０      連結具
４２      支持材
４４      ループ
５０、１５０      連結具
５２、１４２      支持体
５４      鉤
１４２    布テープ
１４４    歯
１４６    スライド金具
【図１】
2008220397.tif 000003
【図２】
2008220397.tif 000004
【図３】
2008220397.tif 000005
【図４】
2008220397.tif 000006
【図５】
2008220397.tif 000007
【図６】
2008220397.tif 000008
【図７】
2008220397.tif 000009
【図８】
2008220397.tif 000010
【図９】
2008220397.tif 000011
【図１０】
2008220397.tif 000012
【図１１】
2008220397.tif 000013
【図１２】
2008220397.tif 000014
【図１３】
2008220397.tif 000015